(57)【特許請求の範囲】
【請求項１】
両端にそれぞれ電源側端子及び負荷側端子が配設された器体と、電源側端子及び負荷側端子間に形成された電路に挿入される主固定接点及び主可動接点を有する主接点装置と、主接点装置の閉極時に前記電路において異常電流が流れると主接点装置を強制的に開極させる接点開閉装置と、前記電路において主接点装置と直列に接続されるリレー固定接点及びリレー可動接点を有するリレー接点装置と、外部信号によりリレー可動接点をリレー固定接点に接離させるリレー装置とを備え、主接点装置は、主固定接点を一端側に固着した主固定接触子と、主可動接点を主固定接点と対向する形で一端側に固着した主可動接触子とを有し、リレー接点装置は、リレー固定接点を一端側に固着したリレー固定接触子と、リレー可動接点をリレー固定接点と対向する形で一端側に固着したリレー可動接触子とを有し、主固定接触子及びリレー固定接触子及び主固定接触子の他端側から主可動接触子の他端側を横切って延出する連結片及び連結片から主可動接触子に対向する形で主可動接触子の一端側に向かって延出するとともにリレー固定接触子に接続するアーク駆動片から成るアーク駆動体が器体内に配設されたリモートコントロール式回路遮断器であって、器体には、主固定接点とリレー固定接点との間に配置され且つ主固定接触子が載置されることでアーク駆動体を揺動自在に支持する支持部が設けられ、主接点が閉極するとリレー固定接点が支持部を支点としてリレー可動接点に向かう方向に回動することを特徴とするリモートコントロール式回路遮断器。
【発明の詳細な説明】
【技術分野】
【０００１】
本発明は、遠隔操作によって接点を開閉可能なリモートコントロール式回路遮断器に関する。
【背景技術】
【０００２】
従来から、電源側端子及び負荷側端子間に形成された電路に挿入される主固定接点及び主可動接点を有する主接点装置と、主接点装置の閉極時に前記電路において異常電流が流れると主接点装置を強制的に開極させる接点開閉装置と、前記電路において主接点装置と直列に接続されるリレー固定接点及びリレー可動接点を有するリレー接点装置と、外部信号によりリレー可動接点をリレー固定接点に接離させる電磁石装置とを備えたリモートコントロール式回路遮断器が提供されており、例えば特許文献１に開示されている。
【０００３】
特許文献１に記載されたリモートコントロール式回路遮断器では、主接点装置は、主固定接点を一端側に固着した主固定接触子と、主可動接点を主固定接点と対向する形で一端側に固着した主可動接触子とを有し、リレー接点装置は、リレー固定接点を一端側に固着したリレー固定接触子と、リレー可動接点をリレー固定接点と対向する形で一端側に固着したリレー可動接触子とを有し、主固定接触子及びリレー固定接触子及び主固定接触子の他端側から主可動接触子の他端側を横切って延出する連結片及び連結片から主可動接触子に対向する形で主可動接触子の一端側に向かって延出するとともにリレー固定接触子に接続するアーク駆動片から成るアーク駆動体が器体内に配設されている。
【０００４】
このため、主接点装置とリレー接点装置との接続を、主固定接触子の通電方向とは逆向きの通電方向のアーク駆動体で行うため、短絡電流によって主可動接点が主固定接点から強制開極する際の電磁力を強くすることができ、アークを素早く引き伸ばして消弧させることが可能となっている。
【特許文献１】特開２００６−９２９７８号公報
【発明の開示】
【発明が解決しようとする課題】
【０００５】
しかしながら、上記従来例では、アーク駆動体が器体に対して固定されていたので、リレー接点を閉じる際に、リレー可動接点がリレー固定接点に接触する時の衝撃によって反発力が生じ、反発力によってリレー可動接点がリレー固定接点から離れてしまいアークが生じる虞があった。
【０００６】
本発明は、上記の点に鑑みて為されたもので、リレー接点の開閉によるアークの発生を抑えることができるリモートコントロール式回路遮断器を提供することを目的とする。
【課題を解決するための手段】
【０００７】
請求項１の発明は、上記目的を達成するために、両端にそれぞれ電源側端子及び負荷側端子が配設された器体と、電源側端子及び負荷側端子間に形成された電路に挿入される主固定接点及び主可動接点を有する主接点装置と、主接点装置の閉極時に前記電路において異常電流が流れると主接点装置を強制的に開極させる接点開閉装置と、前記電路において主接点装置と直列に接続されるリレー固定接点及びリレー可動接点を有するリレー接点装置と、外部信号によりリレー可動接点をリレー固定接点に接離させるリレー装置とを備え、主接点装置は、主固定接点を一端側に固着した主固定接触子と、主可動接点を主固定接点と対向する形で一端側に固着した主可動接触子とを有し、リレー接点装置は、リレー固定接点を一端側に固着したリレー固定接触子と、リレー可動接点をリレー固定接点と対向する形で一端側に固着したリレー可動接触子とを有し、主固定接触子及びリレー固定接触子及び主固定接触子の他端側から主可動接触子の他端側を横切って延出する連結片及び連結片から主可動接触子に対向する形で主可動接触子の一端側に向かって延出するとともにリレー固定接触子に接続するアーク駆動片から成るアーク駆動体が器体内に配設されたリモートコントロール式回路遮断器であって、器体には、主固定接点とリレー固定接点との間に配置され且つ主固定接触子が載置されることでアーク駆動体を揺動自在に支持する支持部が設けられ、主接点が閉極するとリレー固定接点が支持部を支点としてリレー可動接点に向かう方向に回動することを特徴とする。
【発明の効果】
【０００９】
請求項１の発明によれば、主接点を閉じた際にアーク駆動体が支持部を支点として主可動接点が主固定接点に向かう方向に傾くとともに、リレー固定接点がリレー可動接点に向かう方向に向かって回動するので、リレー接点を閉じる際にリレー可動接点がリレー固定接点に接触する時の衝撃をアーク駆動体が回動することで吸収するとともに、反発力によってリレー可動接点がリレー固定接点から離れようとしても、アーク駆動体が回動することでリレー固定接点がリレー可動接点に追従するので、リレー可動接点がリレー固定接点から離れることがなく、したがってアークが生じるのを防ぐことができる。
【発明を実施するための最良の形態】
【００１１】
（実施形態１）
以下、本発明に係るリモートコントロール式回路遮断器の実施形態１について図面を用いて説明する。尚、以下の説明では、図１における上下を上下方向と定めるものとする。本実施形態は、２極型のリモートコントロール式回路遮断器であって、図１に示すように、両端にそれぞれ電源側端子６及び負荷側端子１０が配設された器体１と、電源側端子６及び負荷側端子１０間に形成された電路に介在する主可動接点８１ａ及び主固定接点８０ａを有する主接点装置８と、器体１の上面に配設されるハンドル１４の開閉操作により主可動接点８１ａを主固定接点８０ａに接離させるとともに、前記電路に異常電流が流れると主可動接点８１ａを主固定接点８０ａから強制開極させる接点開閉装置３０と、前記電路において主接点装置８に直列に接続されるリレー可動接点９１ａ及びリレー固定接点９０ａを有するリレー接点装置９と、外部信号によりリレー可動接点９１ａをリレー固定接点９０ａに接離させるリレー装置である電磁石装置３１とを備える。
【００１２】
器体１は、図３に示すように、側面が開口したケース２と、該開口を塞ぐカバー３とから成る。また、器体１の内部には、電源側端部及び負荷側端部各々において、ケース２とカバー３との間に介在され、器体１の幅方向における両側面を結ぶ方向の中間部を仕切る入力側仕切り部材４及び出力側仕切り部材５がそれぞれ設けられている。
【００１３】
器体１内部の電路は、各極毎に電源側端子６、可撓電線導体１１、異常電流検出装置７、可撓電線導体１２、主接点装置８、リレー接点装置９、可撓電線導体１３、負荷側端子１０で構成されている。各電路は、器体１の長手方向に沿って延び、器体１の幅方向に沿って並設されるように入力側仕切り部材４及び出力側仕切り部材５で仕切られたスペースにそれぞれ配設されている。
【００１４】
各極において、電路の電源側端子６は、器体１の長手方向の一端に配設されるとともに、主幹ブレーカ（図示せず）に接続された導電バー（図示せず）に接触するプラグイン端子である。電源側端子６は、器体１の長手方向の一端において、導電バーに器体１の一部を嵌め込むために形成された溝８５内に配設されている。
【００１５】
負荷側端子１０は、器体１の長手方向の他端に配設されるとともに、外部からの電線導体（図示せず）を速結する鎖錠ばね８２を用いた速結端子である。負荷側端子１０は、ケース２に貫設された電線導体挿入孔８３の内側に配設され、解錠部材８４によって解錠可能となっている。解錠部材８４は、中間部に孔８４ｂを有し、該孔８４ｂに挿通された軸９８の両端が出力側仕切り部材５を通してケース２とカバー３とに支持され、これにより回動自在に軸支されている。
【００１６】
解錠部材８４の下端部は、その一部が鎖錠ばね８２に載置され、電線導体挿入孔８３より鎖錠ばね８２を通過した電線導体の先端に係合する係合片８６を設けている。解錠部材８４の上端部は、ケース２の後述する排気孔６４ａの一部より露出し、露出した部位に表示部８４ａを設けている。表示部８４ａは、電線導体に押されていない状態では排気孔６４ａにおけるハンドル１４の側縁部に位置し、解除部材８４が電線導体の先端によって係合片８６を押圧されて反時計回りに回動することにより、表示面（図示せず）を露出させるように移動する。而して、電線導体が確実に挿入されたことが視認できるようになっている。
【００１７】
接点開閉装置３０及び電磁石装置３１は各極に共用され、器体１の長手方向の略中央部、即ち入力側仕切り部材４と出力側仕切り部材５との間に配設されている。尚、接点開閉装置３０は、ケース２の上下方向における略中央に設けられた絶縁隔壁３２の上側に配設され、電磁石装置３１は、絶縁隔壁３２の下側に配設される。
【００１８】
接点開閉装置３０は、図１に示すように、主にハンドル１４、反転リンク１５、レバー１６、可動枠１７、開極ばね１９、引き外し部材２０、異常電流装置７で構成されている。ハンドル１４は、その軸１４ａがケース２及びカバー３間に回動自在に軸支されており、ケース２の上面に貫設された開口１８から一部が突出している。反転リンク１５は、その一端がハンドル１４に連結され、他端がレバー１６の支点となる中間部に連結されている。レバー１６は、その一端が引き外し部材２０に係止するとともに、他端が可動枠１７に係止する。可動枠１７は、その軸１７ａがケース２及びカバー３間に回動自在に軸支されている。可動枠１７には、接点圧付与ばね３４を収納した凹部１７ｂが設けられ、該凹部１７ｂに後述する主可動接触子８１が挿通されている。主可動接触子８１は、凹部１７ｂ内で接点圧付与ばね３４によって保持されるとともに可撓電線導体１２に接続されている。開極ばね１９は、可動枠１７とケース２内に設けられたばね受け２１との間に圧縮した状態で配設され、可動枠１７を図１における時計回りの向きに付勢している。引き外し部材２０は、その軸２０ａがケース２及びカバー３間に回動自在に軸支されており、一体に設けられた係止部２２がレバー１６の一端に係止する向き（図１における反時計回りの向き）に復帰ばね２３によって付勢されている。
【００１９】
異常電流検出装置７は、図６に示すように、器体１の各極に設けられ、短絡電流によって生じる磁束により固定側磁性体７５ｂに対して電磁吸引動作をする可動側磁性体７５ａを有する短絡検出手段７５と、バイメタルを用いた過電流検出手段７６とから成る。一方の極においては、入力側仕切り部材４に設けられた軸７８に動作レバー７７の中間部が軸支され、可動側磁性体７５ａ又はバイメタルに押されて動作レバー７７が時計回りに回動する。動作レバー７７は、反転リンク７９を介して引き外し部材２０に連結されており、短絡検出又は過電流検出で動作レバー７７が動作すると、引き外し部材２０を復帰ばね２３に抗って時計回りに回動させ、接点開閉装置３０のレバー１６を引き外し動作させる。他方の極においては、異常電流検出装置７の可動側磁性体７５ａ及びバイメタルに押圧される２つの動作レバー部７７ａが引き外し部材２０に設けられている。
【００２０】
接点開閉装置３０のオン状態は図１に示す状態であり、レバー１６の一端が係止部２２に係止した状態で、ハンドル１４により可動枠１７を回動させて開極ばね１９を圧縮し、その付勢力によってハンドル１４を開口１８の縁部に係止している。この状態では、後述する主固定接触子８０の主固定接点８０ａと主可動接触子８１の主可動接点８１ａとが接触し、主接点が閉極している。オフ状態は、オン状態のハンドル１４を図４に示すように反対側に操作した状態であり、ハンドル１４の回動に伴って反転リンク１５が反転し、開極ばね１９の付勢力によって可動枠１７が時計回りに回動するのに伴って主可動接触子８１が主固定接触子８０から離れて主接点が開極するとともにレバー１６が押し上げられる。尚、オフ状態からオン状態への動作は上記と反対の動作となる。
【００２１】
トリップ状態はオン状態において、異常電流検出装置７の動作により引き外し部材２０が復帰ばね２３に抗って時計回りに回動し、係止部２２がレバー１６から離脱するようにレバー１６を引き外す。そのため、開極ばね１９の付勢力によって可動枠１７が時計回りに回動してレバー１６を押し上げるとともに、主可動接触子８１をオフ動作させ、ハンドル１４がハンドル１４をオフ方向に付勢するばね（図示せず）によりオン位置との間の中立姿勢へと回動する。尚、ハンドル１４を中立姿勢の状態からオフ方向に操作すればオフ状態にすることができる。
【００２２】
電磁石装置３１は、ラッチ型の有極電磁石を用いており、可動鉄心となるプランジャ３６の動作方向が器体１の長手方向と一致するように器体１内に配設される。電磁石装置３１は、図７（ａ），（ｂ）に示すように、コイル枠３７と、コイル枠３７の中心に挿通されるプランジャ３６と、コイル枠３７の外周に巻装されるコイル３８とを備える。コイル３８の上下両側には固定鉄心となる一対の内ヨーク３９が配置され、その各外側には固定鉄心となる略コ字形の一対の外ヨーク４０が配置される。外ヨーク４０と内ヨーク３９との間には、両ヨークを異極化する永久磁石４１が介在され、プランジャ３６の両端部において外ヨーク４０と内ヨーク３９の両端部間には接極板４２が設けられている。プランジャ３６の一端部には、リレー接点装置９のリレー可動枠４４が軸３６ａで連結されている。
【００２３】
リレー可動枠４４は、図５に示すように、その軸４４ａがケース２及びカバー３の間に回動自在に軸支されている。リレー可動枠４４の器体１の幅方向における両側には凹部４４ｂが設けられ、該凹部４４ｂに後述するリレー可動接触子９１を挿通するとともに、リレー可動接触子９１を凹部４４ｂに設けられた接点圧付与ばね４５によって保持している。また、リレー可動接触子９１と負荷側端子１０とが可撓電線導体１３によって接続されている。プランジャ３６の一端部には、リレー可動枠４４を介して対向したスイッチ４７を有するプリント基板４９が配設され、プランジャ３６の他端部にも、該他端部に対向したスイッチ４８を有するプリント基板５０が配設されている。而して、プランジャ３６の一端部は、リレー可動枠４４を回動させることでリレー可動枠４４に設けられたスイッチ押圧部４４ｃでスイッチ４７を押すことができ、プランジャ３６の他端部は直接スイッチ４８を押すことができるように構成されている。各プリント基板４９，５０には、交流を整流してコイル３８に通電するための給電回路が実装されており、各プリント基板４９，５０とコイル３８との間はリード線５２によって接続されている。
【００２４】
プランジャ３６は、外部に設けられた操作部（図示せず）からの制御信号によってコイル３８への通電を切り替えることでオン状態とオフ状態とを切り替えることができる。プランジャ３６はオン状態において、前記一端部がリレー回動枠４４を介してスイッチ４７を押すとともに、永久磁石４１によって前記一端部を外部に突出した状態でラッチされる（図７（ａ）参照）。また、プランジャ３６はオフ状態において、前記他端部がスイッチ４８を押すとともに、永久磁石４１によって前記他端部を外部に突出した状態でラッチされる（図７（ｂ）参照）。尚、操作部からの制御信号は、器体１の負荷側端子１０の下側に設けられるとともに、端部がプリント基板４９に実装される遠隔制御端子９２を介してプリント基板４９，５０に実装された給電回路に与えられる。
【００２５】
以下、プリント基板４９，５０に実装された給電回路について図面を用いて説明する。この給電回路は、図８（ａ）に示すように、交流電源ＡＣからコイル３８に給電するものであって、交流電源ＡＣの負荷側端子の一端には、一対のダイオードＤ１，Ｄ２を逆並列に接続した回路が直列に接続され、ダイオードＤ１，Ｄ２の一端側にはスイッチ４７，４８が接続されるとともに、他端側には操作部からの制御信号によってオン／オフを切り替える遠隔スイッチＳＷが接続されている。また、交流電源ＡＣの前記出力端とコイル３８の一端との間にはサージ吸収素子Ｚが設けられている。先ず、プランジャ３６がオフ状態であるとすると、プランジャ３６がスイッチ４８を押しているために、図８（ａ）に示すように、スイッチ４７では常閉接点ＮＣが閉じ、スイッチ４８では常開接点ＮＯが閉じている。この状態で、操作部によって遠隔スイッチＳＷをダイオードＤ１側がオン、ダイオードＤ２側がオフとなるように操作すると、コイル３８に図８（ｂ）に示すような半波整流が流れる。これにより、プランジャ３６がオフ状態からオン状態へと移行するとともに、プランジャ３６の前記一端部がスイッチ４７を押すことでスイッチ４７では常開接点ＮＯが閉じ、また、プランジャ３６が離れたスイッチ４８では常閉接点ＮＣが閉じるので、コイル３８への通電路が開放されてコイル３８への通電が停止する。
【００２６】
次に、プランジャ３６がオン状態において、操作部によって上記と反対の操作、即ち、遠隔スイッチＳＷをダイオードＤ１側がオフ、ダイオードＤ２側がオンとなるように操作すると、図８（ｃ）に示すように、スイッチ４７では常開接点ＮＯが閉じており、スイッチ４８では常閉接点ＮＣが閉じているので、コイル３８に上記と逆向きに半波整流が流れる（図８（ｄ）参照）。これにより、プランジャ３６がオン状態からオフ状態へと移行するとともに、プランジャ３６の前記他端部がスイッチ４８を押すことでスイッチ４８では常閉接点ＮＣが閉じ、また、プランジャ３６が離れたスイッチ４７では常開接点ＮＯが閉じるので、コイル３８への通電路が開放されてコイル３８への通電が停止する。
【００２７】
上述のように、操作部によって遠隔スイッチＳＷのオン／オフを切り替えることでプランジャ３６のオン状態とオフ状態とを切り替えることができ、プランジャ３６がオン状態の時には、リレー可動枠４４に伴ってリレー可動接触子９１が時計回りに回動することで、リレー可動接触子９１のリレー可動接点９１ａと後述するリレー固定接触子９０のリレー固定接点９０ａとが接触し、リレー接点が閉極する。また、プランジャ３６がオフ状態の時には、リレー可動枠４４に伴ってリレー可動接触子９１が反時計回りに回動することで、リレー可動接触子９１がリレー固定接触子９０から離れてリレー接点が開極する。
【００２８】
尚、リレー可動枠４４には、表示用レバー５４がケース２の上端部に向かって延出されている。ケース２の上端部には、ハンドル１４用の開口１８に隣接して表示用開口５５が形成され、その内側にはリレー接点の状態表示用の表示体５６の軸部５６ａがケース２及び出力側仕切り部材５の間に回動自在に軸支されている。表示体５６には係合部５６ｂが切欠形成され、該係合部５６ｂに表示用レバー５４の上端部が係合している。而して、プランジャ３６の動作によりリレー可動枠４４がオン方向又はオフ方向に回動するのに伴って表示体５６が回動し、表示体５６に記されたＯＮ又はＯＦＦの表示が表示用開口５５を介して外部に露出する。
【００２９】
主接点装置８は器体１の上側に配設され、リレー接点装置９は主接点装置８に対して器体１の負荷側端子１０側に配設され、電磁石装置３１は主接点装置８に対して器体１の下側に配設される。この場合、主接点装置８と電磁石装置３１の永久磁石４１との間の外ヨーク４０は、主接点装置８を流れる電流による磁束が永久磁石４１に影響を与えるのを回避する磁性体（例えば、鉄板）の役割を兼用する。主接点装置８は、主可動接点８１ａを一端側に固着した主可動接触子８１と、主固定接点８０ａを一端側に固着するとともに他端側を主可動接触子８１の他端側に対向する形で延出させた主固定接触子８０とを有する。リレー接点装置９は、一端側にリレー固定接点９０ａを固着したリレー固定接触子９０と、リレー可動接点９１ａを一端側に固着するとともに他端側をリレー固定接触子９０の他端側と反対方向に延出させたリレー可動接触子９１とを有する。そして、主固定接点８０ａ及びリレー固定接点９０ａが、それぞれ主可動接点８１ａ及びリレー可動接点９１ａよりも電磁石装置３１側となるように配設されている。
【００３０】
主可動接点８１ａと主固定接点８０ａとの組、及びリレー可動接点９１ａとリレー固定接点９０ａとの組は、図１に示すように横並びに隣接配置され、器体１の幅方向に分割して並ぶようにケース２及び出力側仕切り部材５に挟まれる空間から成る各極毎の消弧室６４に共に収納されている。尚、主固定接点８０ａは上方を向くように配置され、リレー固定接点９０ａは器体１の長手方向のうち負荷側端子１０がある方向を向くように配置されている。また、各極の消弧室６４の排気孔６４ａは、器体１の上面と出力側の端面とが接する角部に形成されている。
【００３１】
各極の主接点装置８とリレー接点装置９とは、アーク駆動体６６によって電気的に接続されている。アーク駆動体６６は、図２（ａ）に示すように、主固定接触子８０の他端側から主可動接触子８１の他端側を横切るように主可動接触子８１の側方を通過して主固定接触子８０と反対側に延出する連結片６７と、該連結片６７から主可動接触子８１に対向する形で主可動接触子８１の一端側に向かって略平行に延出するアーク駆動片６８とを有し、アーク駆動片６８の一端部にリレー固定接触子９０の他端部を接続している。これにより、アーク駆動体６６を介して主固定接点８０ａとリレー固定接点９０ａとが接続される。
【００３２】
主固定接触子８０、連結片６７、アーク駆動片６８、リレー固定接触子９０は、一枚の導板によりプレス成形され且つ折曲され、主固定接点８０ａとリレー固定接点９０ａとをこの導板に固着している。この場合、リレー固定接触子９０のリレー固定接点９０ａの表面に沿った方向が、主固定接触子８０の主固定接点８０ａの表面に沿った方向と略直交するように固着され、また、リレー固定接触子９０の他端部側には鉄板７０が取着されている。更に、主固定接点８０ａの周りのリレー固定接触子９０、鉄板７０、アーク駆動片６８、連結片６７及び主固定接触子８０の主固定接点８０ａを向く表面を、主固定接点８０ａに対して覆うように形成されて消弧室６４の内壁を形成する絶縁体９３をアーク駆動体６６に配設している。また、リレー可動接触子９１には、リレー可動接点９１ａを固着した位置から一端側に延出する延出片６３が形成され、鉄板７０にはその両側から延出片６３側に折曲した両側片７０ａが形成され、両側片７０ａに対向する例えば鉄製の磁性体７１が延出片６３に取着されている。
【００３３】
ケース２の消弧室６４を成す壁部には、図２（ａ）に示すように、主固定接触子８０を載置するための略矩形状の載置部６０が器体１の幅方向に沿って突出して形成されている。載置部６０の長手方向一端部には、上方に向かって突出する突壁６２が一体に形成されるとともに、その近傍には主固定接触子８０を支持する支持部６１が設けられている。支持部６１は、載置部６０の長手方向一端側において、載置部６０の幅方向に亘って上方に向かって凸状に形成されている。而して、主固定接触子８０とリレー固定接触子９０との間に突壁６２が位置するように主固定接触子８０を載置部６０に載置することで、アーク駆動体６６が消弧室６４に収納されるとともに、支持部６１を支点として揺動自在に支持される。
【００３４】
ここで、載置部６０の支持部６１は、図２（ｂ）に示すように、主固定接点８０ａよりも同図における左側に位置する。このため、主接点のみが閉じた場合には、支持部６１よりも同図における右側で主可動接点８１ａが主固定接点８０ａを押圧するために、アーク駆動体６６が支持部６１を支点として時計回りに回動した状態で静止する。リレー接点のみが閉じた場合には、支持部６１よりも同図における左側でリレー可動接点９１ａがリレー固定接点９０ａを押圧するために、アーク駆動体６６が支持部６１を支点として反時計回りに回動しようとするが、突壁６２によってアーク駆動体６６の回動が規制されるために、アーク駆動体６６は回動しない状態で静止する。また、主接点及びリレー接点が何れも閉じた場合には、各接点での押圧力が均衡するために、アーク駆動体６６は回動しない状態で静止するようになっている。
【００３５】
したがって、主接点が閉じる際には、主可動接点８１ａが主固定接点８０ａを押圧することでアーク駆動体６６が支持部６１を支点として時計回りに回動するのに伴って、リレー固定接点９０ａも時計回りに回動し、リレー可動接点９１ａに向かう方向に傾く。この状態でリレー接点を閉極する、即ち、リレー可動接点９１ａをリレー固定接点９０ａに接触させると、リレー可動接点９１ａがリレー固定接点９０ａを押圧することでアーク駆動体６６が反時計回りに回動する。ここで、アーク駆動体６６が反時計回りに回動することで、リレー可動接点９１ａがリレー固定接点９０ａに接触する際の衝撃を吸収することができる。また、衝撃に伴う反発力によってリレー可動接点９１ａがリレー固定接点９０ａから離れようとしても、主可動接点８１ａの主固定接点８０ａへの押圧力によってアーク駆動体６６が時計回りに回動することでリレー固定接点９０ａがリレー可動接点９１ａに追従するので、リレー可動接点９１ａがリレー固定接点９０ａから離れることがなく、したがってアークが生じるのを防ぐことができる。
【００３６】
（実施形態２）
以下、本発明に係るリモートコントロール式回路遮断器の実施形態２について図面を用いて説明する。但し、本実施形態の基本的構成は実施形態１と共通であるので、共通する部位には同一の番号を付して説明を省略する。本実施形態は、載置部６０に支持部６１を設ける代わりに、図９に示すように、リレー固定接触子９０とリレー固定接点９０ａとの間に弾性を有する材料から成る弾性部材９０ｂを設けている。弾性部材９０ｂは、例えばコイルスプリングから成り、一端部をリレー固定接触子９０に固着するとともに、他端部をリレー固定接点９０ａに固着している。このため、リレー固定接点９０ａは、リレー可動接点９１ａに向かう方向に弾性付勢される。
【００３７】
この状態でリレー接点を閉極する、即ち、リレー可動接点９１ａをリレー固定接点９０ａに接触させると、リレー可動接点９１ａがリレー固定接点９０ａを押圧することで弾性部材９０ｂが圧縮される。このため、リレー可動接点９１ａがリレー固定接点９０ａに接触する際の衝撃を吸収することができる。また、衝撃に伴う反発力によってリレー可動接点９１ａがリレー固定接点９０ａから離れようとしても、弾性部材９０ｂが復帰しようとすることでリレー固定接点９０ａがリレー可動接点９１ａに追従するので、リレー可動接点９１ａがリレー固定接点９０ａから離れることがなく、したがってアークが生じるのを防ぐことができる。
【図面の簡単な説明】
【００３８】
【図１】本発明の実施形態１のリモートコントロール式回路遮断器を示すオン状態の断面図である。
【図２】同上の要部説明図で、（ａ）は要部斜視図で、（ｂ）はアーク駆動体の側面図である。
【図３】同上の分解斜視図である。
【図４】同上のオフ状態の断面図である。
【図５】同上のリレー接点がオフ状態の断面図である。
【図６】同上の異常電流検出装置の側面図である。
【図７】同上のリレー装置を示す図で、（ａ）はオン状態の断面図で、（ｂ）はオフ状態の断面図である。
【図８】同上のリレー装置の説明図で、（ａ）はオン状態の回路図で、（ｂ）はオン状態の電流波形図で、（ｃ）はオフ状態の回路図で、（ｄ）はオフ状態の電流波形図である。
【図９】本発明の実施形態２のリモートコントロール式回路遮断器を示す要部拡大図である。
【符号の説明】
【００３９】
１  器体
３０  接点開閉装置
３１  電磁石装置
６  電源側端子
６１  支持部
６６  アーク駆動体
６７  連結片
８  主接点装置
８０  主固定接触子
８０ａ  主固定接点
８１  主可動接触子
８１ａ  主可動接点
９  リレー接点装置
９０  リレー固定接触子
９０ａ  リレー固定接点
９１  リレー可動接触子
９１ａ  リレー可動接点
１０  負荷側端子
【図１】
0004644227.tif 000002
【図２】
0004644227.tif 000003
【図３】
0004644227.tif 000004
【図４】
0004644227.tif 000005
【図５】
0004644227.tif 000006
【図６】
0004644227.tif 000007
【図７】
0004644227.tif 000008
【図８】
0004644227.tif 000009
【図９】
0004644227.tif 000010